(57)【要約】【課題】車載無線通信装置を利用した駐車場の車両盗難、不正駐車を防止する駐車場管理システムを提供する【解決手段】車載無線通信装置と、駐車場側無線通信装置と、車両ナンバーの認識装置との間でデータのやり取りを行う駐車場管理装置と、車両の通行を遮断するゲートと、を少なくとも有する駐車場管理システムであって、車載無線通信装置から使用者固有データと、車両ナンバー認識装置から車両ナンバーデータを駐車場管理装置に送信するように構成され、駐車場管理装置は、送信された使用者固有データ及び車両ナンバーデータを、予め格納されている使用者固有データと車両ナンバーデータのデータベースと照合し、一致する場合にゲートを開放する制御を行うように構成されている駐車場システム。【選択図】  図1
2007025857.tif 000002
【特許請求の範囲】
【請求項１】
車両に搭載された車載無線通信装置と、
駐車場に設置された駐車場側無線通信装置と、
車両のナンバープレートを認識する車両ナンバー認識装置と、
前記駐車場側無線通信装置と前記車両ナンバー認識装置の夫々との間でデータの送受信を行う駐車場管理装置と、
車両の通行を遮断するゲートと、を少なくとも有する駐車場管理システムであって、
前記車載無線通信装置は、使用者固有データを記憶しており、前記車両が前記駐車場に入出庫する際に前記使用者固有データを前記駐車場側無線通信装置に送信するように構成され、
前記駐車場側無線通信装置は、前記車載無線通信装置から送信された前記使用者固有データを前記駐車場管理装置に送信するように構成され、
前記車両ナンバー認識装置は、前記車両のナンバープレートを認識して取得した車両ナンバーデータを前記駐車場管理装置に送信するように構成され、
前記駐車場管理装置は、前記使用者固有データと前記車両ナンバーデータとが予め関連つけられて格納されているデータベースを有し、当該データベースに格納された前記使用者固有データ及び前記車両ナンバーデータと、前記駐車場側無線通信装置から受信した前記使用者固有データ及び前記車両ナンバー認識装置から受信した前記車両ナンバーデータとを照合し、一致する場合には前記ゲートを開放する制御を行うように構成されていることを特徴とする駐車場管理システム。
【請求項２】
前記車載無線通信装置は、使用者固有データを記憶するＩＣカードが挿脱自在に構成されており、前記ＩＣカードが挿入されている場合には、前記車両が前記駐車場に入出庫する際に前記ＩＣカードに記憶されている使用者固有のデータを前記駐車場側無線通信装置に送信するように構成されていることを特徴とする請求項１記載の駐車場管理システム。
【請求項３】
前記車載無線通信装置は、使用者固有データを記憶するＩＣカードが挿脱自在に構成されており、前記ＩＣカードが挿入されている場合に、前記車載無線通信装置の電源が投入されるように構成されていることを特徴とする請求項１記載の駐車場管理システム。
【請求項４】
前記車載無線通信装置と前記駐車場側無線通信装置はＥＴＣシステムと同一の装置であって、前記車載無線通信装置に挿入されるＩＣカードはＥＴＣカードであることを特徴とする請求項１記載の駐車場管理システム
【発明の詳細な説明】
【技術分野】
【０００１】
本発明は、駐車場管理システムに関わり、特に車載無線通信装置を利用した駐車場の駐車場管理システムに関する。
【背景技術】
【０００２】
近年では、車載無線通信装置を利用して、道路に設置されたＤＳＲＣ（Ｄｅｄｉｃａｔｅｄ  Ｓｈｏｒｔ  Ｒａｎｇｅ  Ｃｏｍｍｕｎｉｃａｔｉｏｎ近距離専用通信方式）の路側装置との間で無線通信を行うことで、車両を停止することなく料金を支払うことができるノンストップ自動料金支払いシステムが普及してきている。このシステムは、一般的にはＥＴＣ（Ｅｌｅｃｔｒｏｎｉｃ  Ｔｏｌｌ  Ｃｏｌｌｅｃｔｉｏｎ）システムと呼ばれているもので、既に有料道路の料金所等で実用化されている。例えば、ＥＴＣ車載器にはそのユーザを特定する固有の使用者固有データが付与されており、ＥＴＣ車載器から無線で送信される情報には、そのＥＴＣ車載器が有する使用者固有データが含まれる。
【０００３】
さらに、近年ではこのようなＥＴＣ車載器に代表される車載無線通信装置を利用した駐車場の車両管理方法が提案されている（例えば特許文献１参照）。
【０００４】
上記特許文献１には駐車場に駐車中の車両の盗難防止のために、駐車場に入出庫する時に車載無線通信装置から送受信された使用者固有データを認証機関のサーバーに伝送して、不法又は盗難車両であるかを判定し、不法又は盗難車両である場合には車両又は運転手を撮影してデータベース化を行っていた。
【０００５】
或いは、駐車場に出入りする時に車載無線通信装置から送受信された使用者固有データを参照し、不法又は盗難車両と判定された場合には、ゲートを使って出場を阻止することが行われてきた。
【０００６】
【特許文献１】特開２００２１９００４３
【発明の開示】
【発明が解決しようとする課題】
【０００７】
ところが、駐車場に入出庫するための、登録を済ませた車に搭載されている車載無線通信装置とカードを盗みだし、駐車場に入出庫するための登録を済ませていない車両（例えば盗難車）へ搭載することで、登録済みの車としてなりすますことで、駐車場を不正利用されてしまうおそれがあった。また、駐車場へ入出庫できるよう登録された、特定車両しか駐車できない駐車場において、駐車している車両から車載無線通信装置とカードを盗みだし、駐車場外にある未登録車両あるいは盗難車（既に盗んだ車両）に車載無線通信装置を搭載し、駐車場を不正利用してしまうおそれがあった。
【０００８】
本発明は上記問題点に鑑みなされたもので、車載無線通信装置を利用した駐車場の不正利用を防止する駐車場管理システムを提供することを目的とする。
【課題を解決するための手段】
【０００９】
かかる課題を解決するため、請求項１に記載の発明は、車両に搭載された車載無線通信装置と、駐車場に設置された駐車場側無線通信装置と、車両のナンバープレートを認識する車両ナンバー認識装置と、前記駐車場側無線通信装置と前記車両ナンバー認識装置の夫々との間でデータの送受信を行う駐車場管理装置と、車両の通行を遮断するゲートと、を少なくとも有する駐車場管理システムであって、前記車載無線通信装置は、使用者固有データを記憶しており、前記車両が前記駐車場に入出庫する際に前記使用者固有データを前記駐車場側無線通信装置に送信するように構成され、前記駐車場側無線通信装置は、前記車載無線通信装置から送信された前記使用者固有データを前記駐車場管理装置に送信するように構成され、前記車両ナンバー認識装置は、前記車両のナンバープレートを認識して取得した車両ナンバーデータを前記駐車場管理装置に送信するように構成され、前記駐車場管理装置は、前記使用者固有データと前記車両ナンバーデータとが予め関連つけられて格納されているデータベースを有し、当該データベースの前記使用者固有データと前記車両ナンバーデータと、前記駐車場側無線通信装置から受信した前記使用者固有データ及び前記車両ナンバー認識装置から受信した前記車両ナンバーデータとを照合し、一致する場合には前記ゲートを開放する制御を行うように構成されていることを特徴とする。
【００１０】
また、請求項２に記載の発明は、前記車載無線通信装置は、使用者固有データを記憶するＩＣカードが挿脱自在に構成されており、前記ＩＣカードが挿入されている場合には、前記車両が前記駐車場に入出庫する際に前記ＩＣカードに記憶されている使用者固有のデータを前記駐車場側無線通信装置に送信するように構成されていることを特徴とする。
【００１１】
また、請求項３に記載の発明は、前記車載無線通信装置は、使用者固有データを記憶するＩＣカードが挿脱自在に構成されており、前記ＩＣカードが挿入されている場合に、前記車載無線通信装置の電源を投入するように構成されていることを特徴とする。
【００１２】
また、請求項４に記載の発明は、前記車載無線通信装置と前記駐車場側無線通信装置はＥＴＣシステムと同一の装置であって、前記車載無線通信装置に挿入されるＩＣカードはＥＴＣカードであることを特徴とする。
【発明の効果】
【００１３】
本発明によれば、車載無線通信装置から送信される使用者固有データと車両のナンバープレートを画像解析して認識する車両ナンバーデータと、予め格納されているデータベースの使用者固有データと車両ナンバーデータとを照合することで、一致すれば駐車場のゲートを開放するようにしたので、駐車場の不正利用を未然に防ぐことが出来る。
【発明を実施するための最良の形態】
【００１４】
本発明は、車両に搭載された車載無線通信装置と駐車場に設置された駐車場側無線通信装置と、車両のナンバープレートを認識する車両ナンバー認識装置と、駐車場側無線通信装置と車両ナンバー認識装置の夫々との間でデータの送受信を行う駐車場管理装置と、車両の通行を遮断するゲートと、を少なくとも有する駐車場管理システムであって、車載無線通信装置は、使用者固有データを記憶しており、車両が駐車場に入出庫する際に使用者固有データを駐車場側無線通信装置に送信するように構成され、駐車場側無線通信装置は、車載無線通信装置から送信された使用者固有データを駐車場管理装置に送信するように構成され、車両ナンバー認識装置は、車両のナンバープレートを認識して取得した車両ナンバーデータを駐車場管理装置に送信するように構成され、駐車場管理装置は、使用者固有データと車両ナンバーデータとが予め関連つけられて格納されているデータベースを有し、当該データベースと、駐車場側無線通信装置から受信した使用者固有データ及び車両ナンバー認識装置から受信した車両ナンバーデータとを照合し、一致する場合にはゲートを開放する制御を行うように構成した。
【００１５】
したがって、駐車場管理装置に登録済みの車載無線通信装置が盗まれて、未登録あるいは盗難車両に搭載され、駐車場へ車両を入庫されようとしても、データベースの車両ナンバーデータと不一致であることを検出できるため、駐車場の不正使用を未然に防ぐことができる。
【００１６】
また、車両無線通信装置は、使用者固有データを記憶するＩＣカードが挿脱自在に構成されており、ＩＣカードが挿入されている場合には、車両が駐車場に入出庫する際にＩＣカードに記憶されている使用者固有データを駐車場側無線通信装置に送信するように構成した。また、ＩＣカードが挿入されている場合には、車載無線通信装置の電源を投入し、ＩＣカードに記憶された使用者固有のデータを駐車場側無線通信装置に送信するように構成した。
【００１７】
そのため、ＩＣカードが挿入されていなければ駐車場を入出庫できなくなり、ＩＣカードの挿入忘れをはっきりと認識できる。また、ＩＣカードが挿入されていなければ、駐車場からの入出庫が出来ず、盗難を未然に防ぐことが出来るうえ、駐車場の不正使用を防ぐことが出来る。
【００１８】
また、ＩＣカードがＥＴＣカードと同一のものであるように構成したことで、高速道路に入る前にＩＣカードの挿入忘れを認識できることで、ＩＣカードがないまま、走り出してから気が付いて取りに帰るという手間を省くことが出来る。
【００１９】
以下に、本実施の形態に関わる駐車場システムについて、図１を用いて具体的に説明する。本実施の形態に関わる駐車場管理システム１２は、社宅等で管理している専用駐車場あるいは月極駐車場のように、使用者と、駐車する車両が明確になっている駐車場で適用される。この駐車場システムが適用される車両は、図１に示すように、車載無線通信装置２を搭載しているものとする。
【００２０】
図１に示すように、駐車場管理システム１２は、入出庫のために車両１を誘導する誘導路１３の途中にある門形の支持体６と、その支持体６に取り付けられた車載無線通信装置２と、車載無線通信装置２とデータ通信を行う駐車場側無線通信装置７と、車両１が誘導路１３に進入してきたことを検知する車両検知器４と、車両１のナンバープレート３を画像解析して車両ナンバーデータを認識する車両ナンバー認識装置５と、駐車場側無線通信装置７と車両ナンバー認識装置５からの送信データをデータベースと照合する駐車場管理装置８と、車両の入出庫を遮断するゲート１０と、ゲート１０を制御する開閉装置９と、駐車場管理装置８の照合用のデータベースを作成するデータベース設定装置１１と、で構成される。
【００２１】
駐車場管理装置８と通信をする駐車場側無線通信装置７と、車両検知器４と、車両ナンバー認識装置５と、開閉装置９と、データベース設定装置１１との間は有線であっても、無線であってもかまわない。
【００２２】
以下に、本実施の形態に関わる駐車場システム１２に含まれている、駐車場管理装置８と、車載無線通信装置２と、車両ナンバー認識装置５とについて、図２、図３、図４を参照しながら、さらに具体的に説明する。
【００２３】
図２に示す駐車場管理装置８は、駐車場管理システム１２の全体を制御しており、データ通信部２１と、制御部２２と、開閉装置通信部２３とデータベース２４から構成される。
【００２４】
データ通信部２１にはデータベース設定装置１１と、車両検知器４と、車両ナンバー認識装置５と、駐車場側無線通信装置７とが接続されている。データベース設定装置１１からはデータベース構築用の使用者固有データと車両ナンバーデータが送信され、車両検知器４からは車両１を検知した事で発生する車両検知信号が送信され、車両ナンバー認識装置５からは車両ナンバーデータが送信され、駐車場側無線通信装置７からは車載無線通信装置２から送信された使用者固有データがこのデータ通信部２１を介して、制御部２２へ送信される。
【００２５】
制御部２２は、データ通信部２１から送信された使用者固有データと、車両ナンバーデータの対の情報とデータベース２４の使用者固有データと車両ナンバーデータからなるデータ列２５とを照合し、一致、不一致を判断する。一致しなかった場合には、制御部２２は登録済みの車両ではないと判断して、開閉装置通信部２３にゲート１０を閉に維持する信号を出力する。一致した場合には、制御部２２は登録済みの車両であると判断し、開閉装置通信部２３にゲート１０を開に制御する信号を出力する。
【００２６】
データベース２４は、データベース設定装置１１からあらかじめ入力されている使用者固有データと車両ナンバーデータを、データ列２５に示すように、対の形で記憶している。図２では、１からｎまでの使用者固有データ、車両ナンバーデータの対の形でのデータがデータベース化されていることを示している。
【００２７】
開閉装置通信部２３は制御部２２で判断された結果に基づき、ゲート１０の開閉制御を行う開閉装置８に信号を送信する通信部である。
【００２８】
次に図３に示すように、車載無線通信装置２は、車載無線通信装置２にＩＣカード３６が挿入されていることによって、駐車場側無線通信装置７へＩＣカード３６に記憶されている使用者固有データを送受信する装置である。送受信用のアンテナを有するＲＦモジュール３１と、車載無線通信装置２全体を制御するマイコン３２と、マイコン３２に接続された表示装置４０と、マイコン３２に接続され、表示切り替え等の所望の処理を行うスイッチ３５と、マイコン３２に接続され、セキュリティ等の処理を行う暗号化処理部（ＳＡＭ：Ｓｅｃｕｒｅ  Ａｐｐｌｉｃａｔｉｏｎ  Ｍｏｄｕｌｅ）３９と、ＳＡＭ３９に接続され、ＩＣカード３６を挿入するためのカードソケット３７を含む。
【００２９】
マイコン３２にはさらに、車載無線通信装置２の外部からデータをマイコン３２に入力するための入力端子４２が設けられている。また、車載無線通信装置２には車載無線通信装置２内の各ブロックへ電源を供給する電源部４１が設けられており、車両の電源と接続されている。
【００３０】
マイコン３２に接続される表示装置４０は、外部から入力されたデータ等を表示する表示器３４と警告等を報知するブザー３３とを含む。
【００３１】
ＩＣカード３６を挿入するカードソケット３７にはＩＣカード３６が挿入されたかどうかを検知するための検知部３８が設けられている。この検出部３８はＩＣカード３６の挿入を検出する機械式検知部でも良いし、電気的にＩＣカード３６を検知する電気スイッチタイプであっても良い。
【００３２】
次に、図４に示す、車両ナンバー認識装置５の構成について説明する。車両ナンバー認識装置５は、車両１のナンバープレート３の文字を認識する装置であって、駐車場管理装置８に接続されたデータ通信部５４と、車両１のナンバープレート３を撮影するためのカメラ５２と、カメラ５２に接続されカメラの絞りや焦点等の撮影動作を制御するカメラ制御装置５１と、カメラ５２で撮影したナンバープレート３の画像を解析処理して、文字データに変換する文字認識装置５３とから構成される。
【００３３】
上述のように構成された駐車場管理システム１２の動作フローについて、図５を参照して説明する。駐車場管理システム１２は駐車場の入口と出口に同一のものが設置されており、車両の入出庫時の動作は同一になる。具体的に説明すると、車両１が支持体６に近づいてくるまでは車両検知は待機状態となる（ステップＳ６０１：Ｎ）。車両１が誘導路１３を通って支持体６に近づき所定範囲以内に進入してくると、車両検知装置４が車両１を検知し、車両検知信号を駐車場管理装置８に送信する（ステップＳ６０１：Ｙ）。
【００３４】
車両検知信号は、駐車場管理装置８を介して車両ナンバー認識装置５へ送信され、車両ナンバー認識装置５が作動し、車両ナンバー認識処理が行われる（ステップＳ６０２）。車両ナンバー認識装置５が撮影したナンバープレート３の画像を解析し、認識された文字は、車両ナンバーデータとして駐車場管理装置８へ送信される。
【００３５】
次に、車載無線通信装置２と駐車場側無線通信装置７との間で通信が行われ、使用者固有データ通信処理が行われる（ステップＳ６０３）。車載無線装置２は駐車場側無線通信装置７を介して、所有者の使用者固有データを駐車場管理装置８へ送信する。
【００３６】
駐車場管理装置８では、車載無線通信装置２から駐車場側無線通信装置７を介して送信された使用者固有データと、車両ナンバー認識装置５から送信された車両ナンバーデータを、駐車場管理装置８内のデータベース２４に登録されている使用者固有データと車両ナンバーデータとを照合する（ステップＳ６０４）。送信された使用者固有データと車両ナンバーデータがデータベース２４に予め登録されている使用者固有データと車両ナンバーデータと一致していれば（ステップＳ６０５：Ｙ）、駐車場管理装置８は開閉装置９へゲート１０を開放するよう信号を出力する（ステップＳ６０７）。これで、ゲート１０は開になり、車両１はゲート１０を通過でき、駐車場管理システム１２は次の車両の入出庫の車両検知信号を待機するため、車両侵入検知（ステップＳ６０１）の動作を続ける。
【００３７】
予めデータベース２４に登録されている登録情報と一致していなければ（ステップＳ６０５：Ｎ）、駐車場管理装置８は制御装置９へゲート１０を閉鎖する信号を出力する（ステップＳ６０６）。閉鎖されたゲート１０は、駐車場管理システムを管理している管理者等により、適当なリセット操作が行われるまで（ステップＳ６０８）、車両の通行を遮断するように構成されている。
【００３８】
ここで、車両ナンバー認識装置５の動作を、図６を参照して具体的に説明する。図６は前述の駐車場管理システムの動作フローの車両ナンバー認識処理（ステップＳ６０２）にあたる。車両１が誘導路１３に進入してきたことを車両検知器４が検知すると、駐車場管理装置８に車両検知信号が送信され、データ通信部５４を介してその車両検知信号が入力される。車両検知信号が入力されたことでカメラ５２が、ナンバープレート３を撮影する（ステップＳ５０１）。
【００３９】
撮影されたナンバープレート３の画像を画像解析処理する（ステップＳ５０２）。ナンバープレート３が変形や変色している場合には画像解析がスムーズに行われるように前処理が行われ、ナンバープレート３の文字画像を抽出して解析し、車両ナンバーデータとして認識できるかを判断する。抽出した画像を解析して、ナンバープレート３の文字を認識できなかった場合には（ステップＳ５０３：Ｎ）ナンバープレートの撮影から改めてやり直す。ナンバープレート３の文字を認識できた場合には（ステップＳ５０３：Ｙ）、駐車場管理装置８へ、データベース２４と照合するための車両ナンバーデータとして送信する（ステップＳ５０４）。
【００４０】
こうすることで、車載無線通信装置２を搭載していない車両にすでに駐車場管理装置８に登録済みの車載無線通信装置２を積み替え、不正に駐車場に入庫し駐車をしようとしても、駐車場管理装置８のデータベース２４に登録されている車載無線通信装置２による使用者固有データと、車両ナンバーデータとのデータが異なることになり、ゲート１０が開かず、不正利用を未然に防ぐことが可能となる。
【００４１】
本実施の形態に関わる駐車場システム１２では、不正利用防止に効果を上げられるが、さらに、車載無線通信装置２に搭載されたＩＣカード３６の挿入忘れを警告したり盗難防止をしたりする方法としても有効である。その動作について図７を参照に説明する。
【００４２】
車載無線通信装置２にＩＣカード３６が挿入されていない場合には（ステップＳ７０１：Ｎ）、車載無線通信装置２に搭載されているブザー３３や表示器３４の表示装置４０に、ＩＣカード３６が挿入されていない旨の警告を発する（ステップＳ７０５）。またＩＣカード３６が挿入されていても（ステップＳ７０１：Ｙ）、車載無線通信装置２用のＩＣカード３６でなければ（ステップＳ７０２：Ｎ）、ＩＣカード３６を入れていないことと同意となり、車載無線通信装置２に搭載されているブザー３３や表示器３４の表示装置４０に警告を発する（ステップＳ７０５）。
【００４３】
車載無線通信装置２にＩＣカード３６が挿入されていて、それが車載無線通信装置２用のＩＣカードである場合には、車載無線通信装置２に電源が入り（ステップＳ７０３）、車載無線通信装置２が使用者固有データ通信処理を行える（ステップＳ７０４）。つまり、車載無線通信装置２にＩＣカード３６が挿入されていないか、車載無線通信装置２用のＩＣカード３６以外のＩＣカードが挿入されている場合には電源が投入されないため、無線通信ができなくなる。車載無線通信装置２から発せられる警告を確認し損ねたとしても、ゲート１０が開放されないことで、ＩＣカード３６が挿入されていないことを容易に認識できる。また、このことはＩＣカード３６を抜き取っておくことで、車を盗難から回避できると言う効果も合わせ持つことができる。
【００４４】
本発明の実施の一形態の駐車場管理システム１２によって管理される駐車場に、使用者固有データと車両ナンバーデータを予め登録している車両１が入庫する場合を説明する。車両１の使用者固有データと車両ナンバーデータはデータベース設定装置１１によって予め駐車場管理装置８にデータベース２４の一情報として記憶されている。車両１が駐車場に入庫するために、誘導路１３を進入し、ゲート１０に近づいてくると、車両検知器４が車両１の進入を検知して、車両検知信号を駐車場管理装置８に送信する。
【００４５】
同時に、ＩＣカード３６が挿入されている車載無線通信装置２は駐車場側無線通信装置７と通信し、ＩＣカード３６に記憶されている使用者固有データが駐車場側無線通信装置７を介して、駐車場管理装置８に送信される。一方、車両検知器４の車両検知信号は駐車場管理装置８を介して車両ナンバー認識装置５に送信され、車両ナンバー認識装置５が動作を始める。
【００４６】
車両ナンバー認識装置５のカメラが車両１のナンバープレート３を撮影し、画像解析して、車両ナンバーを車両ナンバーデータとして認識する。認識された車両ナンバーデータは駐車場管理装置８に送信される。ここで、通信によって得られた使用者固有データと車両ナンバーデータが予め登録済みの駐車場管理装置８内のデータベース２４の使用者固有データと車両ナンバーデータと照合され、一致していれば、ゲート１０はゲートを開放され、車両１は駐車場に入庫できる。
【００４７】
次に、駐車場に未登録の車両に、車載無線通信装置２を搭載し、駐車場を不正に利用しようとしても通信によって得られた使用者固有データと車両ナンバーデータが、予め登録済みの駐車場管理装置８内のデータベース２４の使用者固有データと車両ナンバーデータと一致しないため、ゲート１０は開放されず、車両は入庫できない。
【００４８】
一方、出庫する際には、入庫時と同様の動きで、駐車場管理装置８はデータベース２４の使用者固有データと車両ナンバーデータと、通信によって得られた使用者固有データと車両ナンバーデータとを照合し、一致していれば、ゲート１０はゲートを開放され、車両１は駐車場から出庫できる。さらに、ＩＣカードがＥＴＣカードと同一のものであることで、高速道路への入場もそのままの状態で、可能となる。
【００４９】
ところが、車載無線通信装置２のＩＣカードを抜いたままゲート１０に近づくと、車載無線通信装置２と駐車場側無線通信装置７の通信は行えず、そのため使用者固有データが通信できないため、予め登録済みの駐車場管理装置８内のデータベース２４の使用者固有データと車両ナンバーデータを照合しても一致しないので、ゲート１０は開放されず、車両は出庫できない。
【００５０】
以上説明したように、本発明の実施の一形態の駐車場管理システム１２によれば、車載無線通信装置から送信される使用者固有データと車両のナンバープレートを画像解析して認識する車両ナンバーデータとが一致することを照合することで、駐車場のゲートを開放するようにしたので、例えば車載無線通信装置を積み替えて、駐車場の不正利用を防止することができる。
【００５１】
また、ＩＣカード３６が車載無線通信装置に挿入されていない場合や、車載無線通信装置用のＩＣカード３６と異なるものが挿入されていた場合に、車載無線通信装置の電源を入らないようにする、あるいは車載無線通信装置が送信する使用者固有データを送らないようにすることで、車両の運転手が車載無線通信装置による警告を認識し損ねても、駐車場のゲートに近づきゲートが閉となったままということから、ＩＣカード３６の挿入忘れ、入れ違いを容易に認識でき、またゲートが閉となったままで、出庫できないことで盗難防止にも寄与できる効果がある。また、ＩＣカードがＥＴＣカードと同一のものであることで、高速道路への入場もそのままの状態で、可能となる。
【００５２】
なお、前述のように電源の投入を制御するのではなく、正規の車載無線通信装置２用のＩＣカード３６が挿入されていないことで、使用者固有データ通信処理（ステップＳ６０３）の動作フローの中でフラグを立て、そのフラグが立っている場合には車載無線通信装置２の使用者固有データを送らないようにすることも可能である。
【００５３】
また、あらかじめ使用者の使用者固有データを、駐車場の管理者等がデータベース設定装置１１によってデータベースを構築できる上述のような管理された駐車場以外の使用方法として、次のような効果がある。例えば時間貸し駐車場の場合では、すなわち、使用者固有データを記憶するＩＣカードさえ抜き去っておけば、駐車中の車両を盗もうとしても、ゲートが開かない。
【００５４】
また、ＩＣカードがないことで、登録済みの車載無線通信装置とＩＣカードを、盗み出そうとする車両に乗せ替えても、予め、駐車場利用者自らが車載無線通信装置の使用者固有データを入力できるようテンキーを持つデータベース設定装置を駐車場利用者にしてもらっていることで、照合用のデータベースを構築しておくことができ、盗み出そうとする車両から得られる使用者固有データと車両ナンバーデータと照合することができ、不一致であることを検出できるため、ゲートを開放しないことで、盗難防止にも寄与できる効果がある。
【００５５】
なお、車載無線通信装置とそれに挿入されたＩＣカードがＥＴＣシステム用でなく、例えば、デパートの会員証を読みとって駐車場側無線通信装置と通信する、デパート専用の車載無線通信装置でも同等の効果がある。
【図面の簡単な説明】
【００５６】
【図１】本実施の形態に関わる駐車場システムの模式的説明図である。
【図２】駐車場管理装置のブロック図である。
【図３】車載無線通信装置のブロック図である。
【図４】車両ナンバー認識装置のブロック図である。
【図５】駐車場管理システムの動作を示すフローチャートである。
【図６】車両ナンバー認識装置の動作を示すフローチャートである。
【図７】車載無線通信装置の動作を示すフローチャートである。
【符号の説明】
【００５７】
１  車両
２  車載無線通信装置
３  ナンバープレート
４  車両検知器
５  車両ナンバー認識装置
７  駐車場側無線通信装置
８  駐車場管理装置
１０  ゲート
１１  データベース設置装置
１２  駐車場管理システム
２４  データベース
【図１】
2007025857.tif 000003
【図２】
2007025857.tif 000004
【図３】
2007025857.tif 000005
【図４】
2007025857.tif 000006
【図５】
2007025857.tif 000007
【図６】
2007025857.tif 000008
【図７】
2007025857.tif 000009